(57)【要約】  【課題】  本発明は、紙及びディスク等が同時に破砕されるのを防止し、それによってモータへの負担を軽減することが可能なシュレッダーの投入口用カバーユニットを提供する。  【解決手段】  紙及び硬質材料を破砕可能で、これらを投入する紙用投入口１１及び硬質材料用投入口１３がそれぞれ別個に設けられたなシュレッダーに取り付けられるカバーであって、紙用投入口１１及び硬質材料用投入口１３のいずれか一方を塞ぐカバー本体２５と、このカバー本体２５が紙用投入口１１を塞ぐ位置及び硬質材料用投入口１３を塞ぐ位置の間を移動可能とするための溝２７及びこれに係合する突起２９とを備えている。【選択図】  図１
2007007621.tif 000002
【特許請求の範囲】
【請求項１】
紙及び硬質材料を破砕可能で、これらを投入する紙用投入口及び硬質材料用投入口がそれぞれ別個に設けられたなシュレッダーに用いられるカバーユニットであって、
紙用投入口及び硬質材料用投入口のいずれか一方を塞ぐカバー本体と、
前記カバー本体が前記紙用投入口を塞ぐ位置、及び硬質材料用投入口を塞ぐ位置の間を移動可能にするガイド手段と
を備えているシュレッダーの投入口用カバーユニット。
【請求項２】
前記ガイド手段は、
シュレッダー側に形成され、前記カバー本体が紙用投入口を塞ぐ位置、及び硬質材料用投入口を塞ぐ位置の間を結ぶ溝と、
前記カバー本体に設けられ前記溝に係合する突部と
を備えている、請求項１に記載のシュレッダーの投入口用カバーユニット。
【請求項３】
前記カバー本体は、塞いでいるいずれかの前記投入口を外部から視認可能な透明部材を備えている、請求項１又は２に記載のシュレッダーの投入口用カバーユニット。
【発明の詳細な説明】
【技術分野】
【０００１】
本発明は、コンパクトディスク、フレキシブルディスク等の硬質材料、及び紙を破砕することができるシュレッダーに用いられる、被破砕物の投入口用カバーユニットに関する。
【背景技術】
【０００２】
近年、機密情報は紙面に記載されるだけでなく、フレキシブルディスクやコンパクトディスク等の電子媒体に記録されることが多くなってきている。そのため、機密情報を処分するシュレッダーには、紙を破砕する機能に加え、上述したディスク等を破砕する機能が要求されている。これに対して、特許文献１では、紙の投入口、及びディスク等の投入口の２つの投入口が形成されたシュレッダーが提案されている。
【特許文献１】実用新案登録第３０９６４４９号公報
【発明の開示】
【発明が解決しようとする課題】
【０００３】
ところで、上記のようなシュレッダーは、２つの投入口が形成されているため、紙及びディスクを同時に投入することができる。ところが、２つの投入口に同時に被破砕物を投入すると、これらを破砕するカッタ及びそれを駆動するモータに大きい負荷がかかり、故障の原因となりうる。
【０００４】
本発明は、上記問題を解決するためになされたものであり、紙及びディスク等が同時に破砕されるのを防止し、それによってモータへの負担を軽減することが可能なシュレッダーの投入口用カバーユニットを提供することを目的とする。
【課題を解決するための手段】
【０００５】
本発明は、上記問題を解決するためになされたものであり、紙及び硬質材料を破砕可能で、これらを投入する紙用投入口及び硬質材料用投入口がそれぞれ別個に設けられたなシュレッダーに用いられるカバーユニットであって、紙用投入口及び硬質材料用投入口のいずれか一方を塞ぐカバー本体と、前記カバー本体が前記紙用投入口を塞ぐ位置、及び硬質材料用投入口を塞ぐ位置との間を移動可能とするガイド手段とを備えている。
【０００６】
なお、本明細書では、ＤＶＤ，ＣＤ，フレキシブルディスク，ＭＯ，メモリカード等の電子媒体の他、プラスチック等の材料で形成された板材など、シュレッダーで破砕可能なものを硬質材料と称することとする。
【０００７】
上記ガイド手段は、シュレッダー側に設けられカバー本体が紙用投入口を塞ぐ位置及び硬質材料用投入口を塞ぐ位置の間を結ぶ溝と、カバー本体に設けられ前記溝に係合する突部とを備えていることが好ましい。ここでいう「シュレッダー側」とは、溝をシュレッダーに直接形成しても良いし、溝を有する部材を予め準備し、これをシュレッダーに取り付けることもできるという意味である。
【０００８】
また、カバー本体は、投入口を外部から視認可能な透明部材を備えていることが好ましい。
【発明の効果】
【０００９】
本発明に係るシュレッダーの投入口用カバーユニットによれば、紙及びディスク等が同時に破砕されるのを防止し、それによってモータへの負担を軽減することができる。
【発明を実施するための最良の形態】
【００１０】
以下、本発明に係るシュレッダーの投入口用カバーユニットの一実施形態について図面を参照しつつ説明する。図１は本実施形態に係るシュレッダーの側面断面図、図２は図１のシュレッダーの平面図である。
【００１１】
本実施形態にかかるシュレッダーは、紙のみならず、ＣＤ等の硬質材料も破砕可能に構成されている。図１に示すように、このシュレッダー１は、破砕用のカッタユニット３，５、それを駆動するモータ（図示せず）、及び破砕された紙くず等を回収する回収箱７を備えており、これらが筐体９内に配置されている。
【００１２】
図２に示すように、筐体９の上面には、前面側（図２の下側）から紙用投入口１１及び硬質材料用投入口１３がこの順で形成されており、これら投入口のいずれか一方は、カバーユニット１５によって塞がれている。図１に示すように、紙用投入口１１の下方には、カッタユニット３が配置されている。このカッタユニット３は、平行に並ぶ一対の円筒型のカッタ３ａ，３ｂを有している。各カッタ３ａ，３ｂの外周面には刃が形成され、これらの刃が互いに噛み合うように回転可能となっている。そして、投入された紙は、両カッタ３ａ，３ｂの回転に伴ってこれらの間に巻き込まれながら破砕され、その下方に配置された回収箱７内に落下して回収される。回収箱７は、筐体前面の扉１７を開くことで筐体９から取り出すことができる。
【００１３】
また、硬質材料用投入口１３の下方にも、紙用投入口１１と同様にカッタユニット５が配置されており、その下方には、硬質材料を回収する小型ケース１９が配置されている。この小型ケース１９は、上部に開口を有し、紙屑を回収する回収箱７内に配置されている。より詳細には、小型ケース１９は、回収箱７の上部開口のうち、後側（図１の右側）の約半分に小型ケース１９の開口が位置するように配置される。また、小型ケース１９の開口周縁にはフック等の係止部２１が形成されており、この係止部２１が回収箱７の開口周縁に内側から係止することで、小型ケース１９は回収箱７に固定されている。小型ケース１９の深さは、回収箱７の約半分であり、これによって、回収箱７は、小型ケース１９の下方にも紙屑を溜めることができる。一般に、ＣＤ等の硬質材料よりも紙の処理量の方が多いので、上記構成により、回収箱７内の紙の回収スペースを大きくすることができる。
【００１４】
次に、投入口を塞ぐカバーユニット１５について説明する。図１及び図２に示すように、筐体９の上面には、平面視矩形状の凹部２３が形成されており、この凹部２３の底面に紙用投入口１１及び硬質材料用投入口１３が筐体９の左右方向に延びるように平行に形成されている。そして、凹部２３には、透明の部材で形成された矩形状のカバー本体２５が配置されている。このカバー本体２５の左右方向の幅は、凹部２３の幅とほぼ同じであり、前後方向の長さは凹部２３の約半分となっている。また、凹部２３の左右壁面には、前後方向に延びる溝２７がそれぞれ形成されている。これに対応するように、カバー本体２５の両側面にはそれぞれ突起２９が形成されており、この突起２９が凹部２３の溝２７に係合している。カバー本体上面の前後の縁部それぞれには傾斜面３０が形成されており、これによって、カバー本体２５を把持しやすいようになっている。なお、上述した凹部２３の溝２７及びカバー本体２５の突起２９が本発明のガイド手段を構成する。
【００１５】
上記構成により、カバー本体２５は、溝２７に沿って凹部２３内を前後方向にスライド可能となっている。そして、カバー本体２５が凹部２３の前側に配置されているときには、紙用投入口１１を塞ぐ一方、凹部２３の後側に配置されているときには、硬質材料用投入口１３を塞ぐようになっている。
【００１６】
次に、このカバーユニットの使用方法について説明する。まず、破砕の対象物に応じて、カバー本体２５の位置を変更する。すなわち、紙を破砕する場合には、カバー本体２５を把持して後側に移動し硬質材料用投入口１３を塞ぐ。これにより、紙用投入口１１が露出する。一方、硬質材料を破砕する場合には、カバー本体２５を前側にスライドさせて紙用投入口１１を塞ぎ、硬質材料用投入口１３を露出させる。例えば、紙を破砕する場合には、カバー本体２５を後側にスライドさせた後、シュレッダーのスイッチをオンにする。そして、カッターが回転し始めると紙用投入口１１から紙を投入して破砕を行う。
【００１７】
以上のように、本実施形態によれば、次のような効果を得ることができる。一般的に、このタイプのシュレッダーは２つの投入口が設けられているため、硬質材料を破砕しつつ、紙も同時に破砕することも考えられるが、このように両者を同時に破砕すると、カッタを駆動するモータに大きな負荷がかかるという問題がある。特に、家庭用のシュレッダーでは、消費電力の大きい高出力のモータを使用することが難しいため、硬質材料と紙とを同時に破砕しようとすると、モータへの負担が大きく故障の原因となりうる。
【００１８】
これに対して、本実施形態にかかるシュレッダーは、硬質材料及び紙の両者を破砕処理できるものの、いずれか一方の投入口はカバー本体２５によって常に塞がれ、他方の投入口のみが露出した状態となっている。そのため、硬質材料と紙とが同時に破砕されることがない。その結果、モータに大きい負荷がかかるのを防止でき、シュレッダーの故障を未然に防ぐことができる。
【００１９】
また、いずれかの投入口は必ず塞がれているため、一方の被破砕物を投入しているときに、他方の投入口に破砕予定のない物を誤って落としてしまうのを防止することができる。また、いずれかの投入口が塞がれているため、例えば紙用投入口にＣＤ等を誤って投入してしまうのも防止することができる。
【００２０】
さらに、カバー本体２５が透明の部材で構成されているため、いずれかの投入口が塞がれていたとしても、もう一方の投入口が存在することを視認することができる。そのため、このシュレッダーが、紙及び硬質材料の両方に対応したシュレッダーであることを容易に認識することができる。
【００２１】
なお、本発明は上記実施形態に限定されず、その趣旨を逸脱しない限りにおいて種々の変更が可能である。
【００２２】
上記実施形態では、カバー本体の移動のためのガイド手段を、溝とこれに係合する突起とで構成したが、これに限定されるものではなく、カバー本体が硬質材料用投入口及び紙用投入口のそれぞれを塞ぐ位置の間で移動できるのであれば、特には限定されない。例えば、カバー本体に溝を形成するとともに、シュレッダー側に前後方向に延びる突条を設け、溝と突条を係合させた後、カバー本体を突条に沿って移動させるようにすることもできる。また、上述した溝及び突条は、シュレッダーの筐体に直接形成することもできるし、溝や突条が形成された部材を筐体に取り付けるようにすることもできる。
【００２３】
また、カバー本体２５は、全体を透明の部材で構成しなくてもよく、少なくとも投入口が外部から視認できるのであれば、その一部のみ、例えば、投入口の真上の部分のみを透明の部材で構成してもよい。また、透明の部材以外で構成することもできるのは勿論である。
【図面の簡単な説明】
【００２４】
【図１】本発明に係るシュレッダーの投入口用カバーの一実施形態を示す側面断面図である。
【図２】図１の平面図である。
【符号の説明】
【００２５】
１    シュレッダー
１１  紙用投入口
１３  硬質材料用投入口
１５  カバーユニット
２５  カバー本体
２７  溝
２９  突部
【図１】
2007007621.tif 000003
【図２】
2007007621.tif 000004